(57)【要約】【課題】配管ユニットを多層建築物の立管として安全かつスムーズに配管することができる立管配管方法を提供することを目的としている。【解決手段】外径が貫通スリーブ径より小径で、内径が配管ユニットより大径であるガイド用短管を、配管する最下層階で下側のガイド用短管で下方からつぎつぎに受けて、上端が配管する最上層階の貫通スリーブより上方に達するとともに、最下層階側に先導用線状材取り出し用の隙間を備えたガイド筒状体を形成し、このガイド筒状体内に配管ユニットを通したのち、ガイド筒状体の下端側からガイド用短管を次々に取り除くようにした。【選択図】      図９
2008138801.tif 000002
【特許請求の範囲】
【請求項１】
可撓性を有する長尺の配管ユニットを多層建築物の各階の床スラブに設けられた貫通スリーブを通して上層階から下層階に配管ユニットによって立管を配管する立管配管方法であって、
外径が貫通スリーブ径より小径で、内径が配管ユニットより大径であるガイド用短管を、配管する最下層階で下側のガイド用短管で下方からつぎつぎに受けて、上端が配管する最上層階の貫通スリーブより上方に達するとともに、最下層階側に先導用線状材取り出し用の隙間を備えたガイド筒状体を形成するガイド筒状体形成工程と、
最上層階から最下層階に向かって先導用線状材をガイド筒状体内に垂らし、先導用線状材をガイド筒状体内に挿通する線条材挿通工程と、
最上層階側あるいは最下層階側で前記先導用線状材の一端に配管ユニットの一端を固定したのち、最下層階側あるいは最上層階側の線条材の他端を引っ張り最上層階から最下層階までガイド筒状体内に配管ユニットを挿通する配管ユニット挿通工程と、
少なくとも最上層階側で配管ユニットの一部を建物躯体に固定する配管ユニット固定工程と、
最下層階側からガイド筒状体を形成するガイド用短管を順に取り外すガイド用短管除去工程と、を備えていることを特徴とする立管配管方法。
【請求項２】
上下のガイド用短管を粘着テープで固定する請求項１に記載の立管配管方法。
【請求項３】
ガイド用短管が、管軸に沿って２つ割りに切断された２つの分割体を、粘着テープを用いて短管形状に保持して形成される請求項１または請求項２に記載の立管配管方法。
【請求項４】
ガイド用短管の配管ユニット挿入側の内側端縁が面取りされている請求項１〜請求項３に記載の立管配管方法。
【発明の詳細な説明】
【技術分野】
【０００１】
本発明は、たとえば、中・高層のマンションなどの集合住宅や商業ビル等の多層建築物において、各階に貫通して設けられたパイプシャフトに納められる給水・給湯等の立管として用いられる配管ユニットを用いた立管配管方法に関する。
【背景技術】
【０００２】
中・高層の集合住宅や商業ビル等の多層建築物において、屋内に給水・給湯等の主配管等を立管として配設する場合には、建築物の１層（１階）分または２〜３層分に相当する主管部となる直管を所定長さに調整しつつ、管継手等を介在させて順次手作業で連結し、固定金具を使用して建物躯体に固定する方法が一般的である。
しかし、各階の施工場所に配管材としての直管や管継手等の多数の部材や取付工具を運搬しなければならず、建物が高層化するほど、手間と時間とコストを要する作業となっていた。
【０００３】
そこで、建物の一層分の長さに切断されたフレキシブルな配管材が、分岐継手を介して複数階分の長さに接続して製造された配管ユニットを用いた配管方法が既に提案されている(特許文献１、２参照)。
【０００４】
すなわち、上記配管ユニットを用いた配管方法は、図１９に示すように、配管ユニット１００をリール２００に巻き取ってリール２００ごと建築現場に搬入し、配管ユニット１００をリール２００から巻き戻しつつ、床スラブ３００に設けられた貫通スリーブ３１０を通して上方に吊り上げて配管作業を行うことによって、できるだけ現場での管継手と他の配管材との接続作業を少なくするようにしている。
【０００５】
しかしながら、集合住宅等では、防火区画貫通の関係で貫通スリーブ３１０の径は著しく制限されるとともに、分岐継手１１０によって形成される枝管接続部１２０が配管ユニット１００の側面に突出するように存在するため、呼び径２０Ａ以上の管径の上記配管ユニット１００を用いて上記のようにして多層建築物の立管を配管しようとする場合、枝管接続部１２０が床スラブ３００に設けられた貫通スリーブ３１０のところを通過する際に貫通スリーブ３１０の周縁部に引っかかりやすい。
そして、枝管接続部１２０が貫通スリーブ３１０の周縁部に引っかかった状態でさらに配管ユニット１００を引き上げるようとすると、分岐継手１１０の接続がはずれたり、配管ユニット１００が破損し、労働災害の発生が懸念される。
【０００６】
【特許文献１】特許第3225017号公報
【特許文献２】特開2004-52898号公報
【発明の開示】
【発明が解決しようとする課題】
【０００７】
本発明は、上記事情に鑑みて、配管ユニットを多層建築物の立管として安全かつスムーズに配管することができる立管配管方法を提供することを目的としている。
【課題を解決するための手段】
【０００８】
上記目的を達成するために、本発明の請求項１に記載の立管配管方法（以下、「請求項１の立管配管方法」と記す）は、可撓性を有する長尺の配管ユニットを多層建築物の各階の床スラブに設けられた貫通スリーブを通して上層階から下層階に配管ユニットによって立管を配管する立管配管方法であって、外径が貫通スリーブ径より小径で、内径が配管ユニットより大径であるガイド用短管を、配管する最下層階で下側のガイド用短管で下方からつぎつぎに受けて、上端が配管する最上層階の貫通スリーブより上方に達するとともに、最下層階側に先導用線状材取り出し用の隙間を備えたガイド筒状体を形成するガイド筒状体形成工程と、最上層階から最下層階に向かって先導用線状材をガイド筒状体内に垂らし、先導用線状材をガイド筒状体内に挿通する先導用線状材挿通工程と、最上層階側あるいは最下層階側で前記先導用線状材の一端に配管ユニットの一端を固定したのち、最下層階側あるいは最上層階側の先導用線状材の他端を引っ張り最上層階から最下層階までガイド筒状体内に配管ユニットを挿通する配管ユニット挿通工程と、少なくとも最上層階側で配管ユニットの一部を建物躯体に固定する配管ユニット固定工程と、最下層階側からガイド筒状体を形成するガイド用短管を順に取り外すガイド用短管除去工程と、を備えていることを特徴としている。
【０００９】
本発明の請求項２に記載の立管配管方法（以下、「請求項２の立管配管方法」と記す）は、請求項１の立管配管方法において、上下のガイド用短管を粘着テープで固定することを特徴としている。
【００１０】
本発明の請求項３に記載の立管配管方法（以下、「請求項３の立管配管方法」と記す）は、請求項１または請求項２の立管配管方法において、ガイド用短管が、管軸に沿って２つ割りに切断された２つの分割体を、粘着テープを用いて短管形状に保持して形成されることを特徴としている。
【００１１】
本発明の請求項４に記載の立管配管方法（以下、「請求項４の立管配管方法」と記す）は、請求項１〜請求項３のいずれかの立管配管方法において、ガイド用短管の配管ユニット挿入口側の内側端縁が面取りされていることを特徴としている。
【００１２】
本発明において、ガイド用短管は、得られるガイド筒状体の総重量が作業者一人で容易に支える程度の重量以下（たとえば、１５ｋｇ以下）にすることが好ましい。
ガイド用短管の材質は、ガイド管の材質は通管に耐えられるものであれば、金属製、樹脂製、紙製等のいずれにも制約は受けない。
ガイド用短管の外径は貫通スリーブ内径以下とし、肉厚についてはガイド管内断面積の確保の観点から薄いほうが望ましい。
また、ガイド用短管の内面にはシリコン滑剤等、ポリエチレンに代表される可撓性樹脂を浸さない滑剤を塗布することが望ましい。
【発明の効果】
【００１３】
以上のように、請求項１の立管配管方法は、可撓性を有する長尺の配管ユニットを多層建築物の各階の床スラブに設けられた貫通スリーブを通して上層階から下層階に配管ユニットによって立管を配管する立管配管方法であって、外径が貫通スリーブ径より小径で、内径が配管ユニットより大径であるガイド用短管を、配管する最下層階で下側のガイド用短管で下方からつぎつぎに受けて、上端が配管する最上層階の貫通スリーブより上方に達するとともに、最下層階側に先導用線状材取り出し用の隙間を備えたガイド筒状体を形成するガイド筒状体形成工程と、最上層階から最下層階に向かって先導用線状材をガイド筒状体内に垂らし、先導用線状材をガイド筒状体内に挿通する先導用線状材挿通工程と、最上層階側あるいは最下層階側で前記先導用線状材の一端に配管ユニットの一端を固定したのち、最下層階側あるいは最上層階側の先導用線状材の他端を引っ張り最上層階から最下層階までガイド筒状体内に配管ユニットを挿通する配管ユニット挿通工程と、少なくとも最上層階側で配管ユニットの一部を建物躯体に固定する配管ユニット固定工程と、最下層階側からガイド筒状体を形成するガイド用短管を順に取り外すガイド用短管除去工程と、を備えているので、配管ユニットを容易かつ安全に立管として配管することができる。
【００１４】
すなわち、配管ユニットを最上層階側から最下層階側を垂下させる際、あるいは、最下層階側から最上層階側へ引き上げる際に配管ユニットがガイド筒状体内を通るため、配管ユニットの外壁面に分岐部などの突出物が存在しても、これらの突出物が貫通スリーブの縁に引っかかったりすることがない。
したがって、最上層階側および最下層階側に人員を配置するだけでよくなり、作業コストの削減を図ることができる。
【００１５】
請求項２の立管配管方法は、上下のガイド用短管を粘着テープで固定するので、しっかりとガイド筒状体形状を保持できるとともに、粘着テープを取り外せば、カイド用短管を他のガイド用短管から容易に取り外せ、ガイド用短管除去作業を容易に行なうことができる。
また、取り外しの際に粘着テープを除去するだけであるので、ガイド用短管が傷むことがない。したがって、ガイド用短管を何度もこの立管配管方法に使用することができる。
【００１６】
請求項３の立管配管方法は、ガイド用短管が、管軸に沿って２つ割りに切断された２つの分割体を、粘着テープを用いて短管形状に保持して形成されるので、粘着テープを除去することによって容易に２つ割り状態となる。したがって、内部に配管ユニットが挿通状態となっていても、ガイド用短管除去作業を容易に行なうことができる。
【００１７】
請求項４の立管配管方法は、ガイド用短管の配管ユニット挿入口側の内側端縁が面取りされているので、上下のガイド用短管の接続部で上下のガイド用短管の管軸がずれて、内壁面の一部に段差が生じたとしても、この面取り部によって配管ユニットの外壁面の突出物が段差に引っかかることが防止される。
【発明を実施するための最良の形態】
【００１８】
以下に、本発明を、その実施の形態をあらわす図面を参照しつつ詳しく説明する。
図１〜図１３は、本発明にかかる立管配管方法の第１の実施の形態を工程順にあらわしている。
【００１９】
図１〜図１３に示すように、この立管配管方法は、以下のようにして立管を配管するようになっている。
（１）図１に示すように、まず、多層建築物の立管を配管しようとする最上層階（この実施の形態では５階）の床スラブＳ上にコイル形状に巻回された配管ユニット１およびワイヤロープ等の先導用線状材２を運び上げたのち、図２に示すように、最上層階の床スラブＳ上に配置された作業者Ａが、最上層階の床スラブＳに設けられた貫通スリーブＳ１を介して先導用線状材２を一端が最下層階（この実施の形態では１階）に届くまで下げ降ろす。
なお、この実施の形態では、配管ユニット１は、図３に示すように、ほぼ１階から５階までの上下高さと略同じ長さのポリエチレン等で形成された可撓性樹脂管１１と、この可撓性樹脂管１１の各階の分岐部となる位置に固着されたサドル型分岐継手１２とから形成されていて、コイル径が１．８ｍ未満のコイル状に巻回するとともに、被覆付き針金１３等によって部分的に結束されてコイル状に保持されている。
【００２０】
（２）図４に示すように、上端の内縁部が面取りされたガイド用短管３１の面取り側に、図５に示すように、最下層階に配置された作業者Ｂが三角錐形状をしたガイドキャップ３２を取り付け、このガイドキャップ３２の先端に最上層階から下げ降ろされた先導用線状材２の一端を固定したのち、最上層階の作業者Ａが先導用線状材２の上端を持ち、ガイド用短管３１の下端がほぼ最下層階の床面Ｆからガイド用短管３１の長さ分の高さ位置になるまで、ガイド用短管３１を引き上げる。なお、最下層階に作業者Ｂは、このとき、ガイド用短管３１を持ち、ガイド用短管３１の引き上げを補助する。
【００２１】
（３）下端がほぼ最下層階の床面Ｆからガイド用短管３１の長さL分の高さ位置になるまでガイド用短管３１の引き上げが完了すると、図６に示すように、作業者Ａによる引き上げを一旦停止し、作業者Ｂが下側のガイド用短管３１の上端が、上側のガイド用短管３１の下端を受けるように配置し、上側のガイド用短管３１の下端と、下側のガイド用短管３１の上端とにまたがるようにビニルテープのような粘着テープ４を巻きつけて、ガイド用短管３１同士を固定する。
【００２２】
（４）再び作業者Ａが先導用線状材２の上端を持ち、下側のガイド用短管３１の下端がほぼ最下層階の床面Ｆからガイド用短管３１の長さ分の高さ位置になるまで、下方に連結されたガイド用短管３１とともに引き上げる。
（５）（３）および（４）の作業を繰り返し、図７に示すように、最上部のカイド用短管３１の上端が最上層階の貫通スリーブＳ１から最上層階の床スラブＳ上に突き出た状態のガイド筒状体３を形成する。なお、最下端のガイド用短管３３は、先導用線状材取り出し用の隙間としての切欠３４が設けられたものを使用する。
【００２３】
（６）最上層階の作業者Ａがガイドキャップ３２を取り除いたのち、図８に示すように、ガイド筒状体３の上端から下端に向かって、先導用線状材２を挿入し、その下端を最下層階の作業者Ｂが切欠３４を介してガイド筒状体３の外側に取り出す。また、作業者Ａが、先導用線状材２の上端を配管ユニット１の先端に取り付けたガイドキャップ１４に固定する。
（７）図９に示すように、作業者Ａが配管ユニット１の結束を解除するとともに、配管ユニット１をガイド筒状体３の上端からガイド筒状体３内に送り込む。同時に作業者Ｂが、配管ユニット１がガイド筒状体３内で捻れたりしないように、最下層階側から先導用線状体２を引っ張りガイドする。
【００２４】
（８）図１０に示すように、配管ユニット１の下端が最下端のガイド用短管３３の上端付近までくると、作業者Ａが配管ユニット１の上端を、支持金具５を介して建物躯体Wに固定する。
（９）図１１に示すように、作業者Ａが粘着テープ４を取り除きながら、下方のガイド用短管３３あるいはガイド用短管３１を最下層階で取り外し、ガイド筒状体３を分解する。
なお、このとき、他の作業者（最上層階の作業者Ｂが最下層階に降りてきても構わない）が、上方のガイド用短管３１が作業者Ａの頭等に落下してこないように補助することが好ましい。
（１０）図１２に示すように、配管ユニット１を各階で支持金具５を介して建物躯体Wに固定するとともに、配管ユニット１の下端に継手６１を介して直管６２を接続し、立管６を完成する。
【００２５】
このようにして配管された立管６には、図示していないが、各階でサドル型分岐継手１２の分岐部に枝管が接続される。
【００２６】
この立管配管方法は、以上のように、ガイド筒状体３をまず構築し、このガイド筒状体３内に配管ユニット１を通すようにしたので、図１３に示すように、分岐継手１２などの突出部が貫通スリーブＳ１の周縁部に引っかかったりすることがなく、配管ユニット１を複層階にわたって容易に配管することができる。
したがって、引っかかりによって配管ユニット１が破損したりする事故などを防止できる。
なお、ガイド用短管３１とガイド用短管３３（３１）との接続は、図１４（ａ）に示すようにソケット３８を介して行なうようにしても構わない。ガイド用短管として図１４（ｂ）に示すように、受口付き短管３９を用いるようにしても構わない。また、図１４の接続構造とした場合、必ずしも粘着テープによる固定はなくても構わない。
【００２７】
図１５〜図１８は、本発明にかかる立管配管方法の第２の実施の形態を工程順にあらわしている。
この立管配管方法は、上記ガイド用短管３１に代えて、図１５に示すように、管軸に沿った切断面で２つ割りの分割体３６を粘着テープ４を用いて接合するようにしたガイド用短管３５および図１６に示す切欠付きガイド用短管３７を用いた以外は、上記第１の実施の形態と同様にして、図１６に示すように、ガイド筒状体３aを形成する。
【００２８】
その後、上記第１の実施の形態と同様の方法で、図１７に示すように、配管ユニット１を配管ユニット１の下端が最下層階の床面Ｆ付近に達するまで配管したのち、上記第１の実施の形態と同様にして最上層階で支持金具５を介して配管ユニット１の上端部を建物躯体Wに固定する。
そして、ガイド用短管３７とガイド用短管３５とを接続する粘着テープを取り除くとともに、ガイド用短管３７およびガイド用短管３５の分割体３６を接続している粘着テープ４を取り除き、分割体３６にした状態でつぎつぎにガイド用短管３７およびガイド用短管３５を下方から取り除き、ガイド筒状体３aを分解したのち、図１８に示すように、配管ユニット１を各階で支持金具５を介して建物躯体Wに固定することによって立管６ａを配管できるようになっている。
【００２９】
この立管配管方法は、上記のように、ガイド用短管３５（３７）が２つ割りの分割体３６を、粘着テープ４を用いて接合することで形成されるようになっているので、配管ユニット１を最下層階の床面Ｆに達するまで配管しても、配管された配管ユニット１がガイド用短管３５（３７）を取り除く場合の障害にならない。したがって、上記第１の実施の形態のように、配管ユニット１の下端に直管を継ぎ足すという作業を別途行なう必要がなくなる。
【００３０】
本発明は、上記の実施の形態に限定されない。たとえば、上記の実施の形態では、一本の可撓性樹脂管の分岐部にあたる部分にサドル型分岐継手を固定することによって、配管ユニットが形成されていたが、主管部となる可撓性のある樹脂短管と分岐部となるチーズとを接続して形成するようにしても構わない。
また、上記のような構造とした場合、チーズ等の継手を流れ方向の上方から下方に拡径したものとし、主管部を管径の異なる複数本の主管が継手管により互いに連結された配管ユニットとすることができる。このようにすれば、下流側ほど管径が大きくなる立管を容易に配管施工でき、かつ、各階に最適な大きさの管径で形成することが容易になり、適切な水量および水圧の確保を容易に実現することができる。
【００３１】
上記の実施の形態では、配管ユニットを最上層階側から最下層階側に向かってガイド筒状体内に通すようにしていたが、最下層階側から最上層階側に引き上げるようにしても構わない。また、配管ユニットをリールに巻回し、このリールを巻き戻し装置にセットして配管するようにしても構わない。
【図面の簡単な説明】
【００３２】
【図１】本発明にかかる立管配管方法の第１の実施の形態の１工程である配管準備工程を説明する説明図である。
【図２】図１の後工程を説明する説明図である。
【図３】本発明にかかる立管配管方法で使用される配管ユニットの１例をあらわす斜視図である。
【図４】本発明にかかる立管配管方法で使用されるガイド用短管の１例をあらわす斜視図である。
【図５】図２の後工程を説明する説明図である。
【図６】図５の後工程を説明する説明図である。
【図７】図６の後工程を説明する説明図である。
【図８】図７の後工程を説明する説明図である。
【図９】図８の後工程を説明する説明図である。
【図１０】図９の後工程を説明する説明図である。
【図１１】図１０の後工程を説明する説明図である。
【図１２】図１１の後工程を説明する説明図である。
【図１３】配管ユニットのガイド筒状体内での状態を説明する断面図である。
【図１４】ガイド用短管の接続構造の他の例をあらわす斜視図である。
【図１５】本発明にかかる立管配管方法で使用されるガイド用短管の１例をあらわす斜視図である。
【図１６】図１５のガイド用短管を用いた本発明にかかる立管配管方法の第２の実施の形態のガイド筒状体に配管ユニットを挿入する工程を説明する説明図である。
【図１７】図１６の後工程を説明する説明図である。
【図１８】図１７の後工程を説明する説明図である。
【図１９】従来の配管ユニットの立管配管工事の１例を説明する説明図である。
【符号の説明】
【００３３】
Ｓ  床スラブ
Ｓ１  貫通スリーブ
Ｗ  建物躯体
１  配管ユニット
２  先導用線状材
３，３ａ  ガイド筒状体
３１，３３，３５，３７，３９ガイド用短管
３４  切欠（先導用線状材取り出し用の隙間）
４  粘着テープ
【図１】
2008138801.tif 000003
【図２】
2008138801.tif 000004
【図３】
2008138801.tif 000005
【図４】
2008138801.tif 000006
【図５】
2008138801.tif 000007
【図６】
2008138801.tif 000008
【図７】
2008138801.tif 000009
【図８】
2008138801.tif 000010
【図９】
2008138801.tif 000011
【図１０】
2008138801.tif 000012
【図１１】
2008138801.tif 000013
【図１２】
2008138801.tif 000014
【図１３】
2008138801.tif 000015
【図１４】
2008138801.tif 000016
【図１５】
2008138801.tif 000017
【図１６】
2008138801.tif 000018
【図１７】
2008138801.tif 000019
【図１８】
2008138801.tif 000020
【図１９】
2008138801.tif 000021